【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
無線通信機能を備えたＩＣカードからなる非接触券を処理する非接触券処理装置において、該非接触券処理装置の本体に設けられているアンテナの交信範囲に前記非接触券が近接されたときに、当該非接触券処理装置の本体と非接触券との間でデータ授受を行うデータ授受手段と、前記非接触券処理装置を制御する制御手段と、を備え、少なくとも２枚の前記非接触券が重ねて前記アンテナの交信範囲に近接された場合に、前記少なくとも２枚の非接触券の中から最初に捕捉された第１の非接触券が正規の非接触券であると認証されてから２枚目の非接触券を捕捉可能とするための捕捉用待ち時間経過後に、枚数超過としてエラー処理する非接触券処理装置であって、
前記制御手段は、前記データ授受手段により捕捉された前記第１の非接触券を正規の非接触券であると認証すると、当該非接触券の読み取りを開始すると前記第１の非接触券の記録内容に基づいた運賃判定処理を実行し、該運賃判定処理の実行中に前記２枚目の非接触券を捕捉するための要求を出すように制御することを特徴とする非接触券処理装置。
【請求項２】
前記制御手段は、前記データ授受手段により捕捉された前記第１の非接触券を正規の非接触券であると認証すると、当該非接触券の読み取りを開始し、該読み取りの終了後前記２枚目の非接触券を捕捉するための要求を出し、その後、前記第１の非接触券の記録内容に基づいた運賃判定処理を実行することを特徴とする請求項１に記載の非接触券処理装置。
【請求項３】
前記制御手段は、前記捕捉用待ち時間を計時するタイマーを備え、前記２枚目の非接触券を捕捉するための要求を出すと前記タイマーをスタートさせ、該タイマーが前記捕捉用待ち時間を計時完了し、且つ前記２枚目の非接触券が捕捉されない場合、前記第１の非接触券に記録されている記録内容を更新することを特徴とする請求項１または２に記載の非接触券処理装置。
【請求項４】
前記捕捉用待ち時間は前記運賃判定処理の処理時間と少なくとも一部が重複していることを特徴とする請求項１、２または３に記載の非接触券処理装置。
【請求項５】
前記制御手段は、前記データ授受手段により２枚目の非接触券が捕捉された場合、前記第１の非接触券に記録されている記録内容を更新しないことを特徴とする請求項１乃至４の何れか一項に記載の非接触券処理装置。
【請求項６】
前記非接触券処理装置は、非接触式自動改札機であることを特徴とする請求項１乃至５の何れか一項に記載の非接触券処理装置。
【請求項７】
無線通信機能を備えたＩＣカードからなる非接触券を処理する非接触券処理方法において、非接触券処理装置の本体に設けられているアンテナの交信範囲に前記非接触券が近接されたときに、当該非接触券処理装置の本体と非接触券との間でデータ授受を行うデータ授受ステップを備え、少なくとも２枚の前記非接触券が重ねて前記アンテナの交信範囲に近接された場合に、前記少なくとも２枚の非接触券の中から最初に捕捉された第１の非接触券が正規の非接触券であると認証されてから２枚目の非接触券を捕捉可能とするための捕捉用待ち時間経過後に、枚数超過としてエラー処理する非接触券処理方法であって、
前記データ授受ステップにより捕捉された前記第１の非接触券を正規の非接触券であると認証すると、当該非接触券の読み取りを開始すると前記第１の非接触券の記録内容に基づいた運賃判定処理を実行し、該運賃判定処理の実行中に前記２枚目の非接触券を捕捉するための要求を出すように制御することを特徴とする非接触券処理方法。
【請求項８】
前記データ授受ステップにより捕捉された前記第１の非接触券を正規の非接触券であると認証すると、当該非接触券の読み取りを開始し、該読み取りの終了後に前記２枚目の非接触券を捕捉するための要求を出し、その後、前記第１の非接触券の記録内容に基づいた運賃判定処理を実行することを特徴とする請求項７に記載の非接触券処理方法。
【請求項９】
前記２枚目の非接触券を捕捉するための要求を出すと前記タイマーをスタートさせ、該タイマーが前記捕捉用待ち時間を計時完了し、且つ前記２枚目の非接触券が捕捉されない場合、前記第１の非接触券に記録されている記録内容を更新することを特徴とする請求項７に記載の非接触券処理方法。
【請求項１０】
前記捕捉用待ち時間は前記運賃判定処理の処理時間と少なくとも一部が重複していることを特徴とする請求項７、８または９に記載の非接触券処理方法。
【請求項１１】
前記データ授受ステップにより２枚目の非接触券が捕捉された場合、前記第１の非接触券に記録されている記録内容を更新しないことを特徴とする請求項７、８または９に記載の非接触券処理方法。
【請求項１２】
請求項７乃至１１の何れか一項に記載の非接触券処理方法をコンピュータが制御可能にプログラミングしたことを特徴とする非接触券処理プログラム。
【請求項１３】
請求項１２に記載の非接触券処理プログラムをコンピュータが読み取り可能な形式で記録したことを特徴とする記録媒体。
【手続補正２】
【補正対象書類名】明細書
【補正対象項目名】０００５
【補正方法】変更
【補正の内容】
【０００５】
本発明はかかる課題を解決するために、請求項１は、無線通信機能を備えたＩＣカードからなる非接触券を処理する非接触券処理装置において、該非接触券処理装置の本体に設けられているアンテナの交信範囲に前記非接触券が近接されたときに、当該非接触券処理装置の本体と非接触券との間でデータ授受を行うデータ授受手段と、前記非接触券処理装置を制御する制御手段と、を備え、少なくとも２枚の前記非接触券が重ねて前記アンテナの交信範囲に近接された場合に、前記少なくとも２枚の非接触券の中から最初に捕捉された第１の非接触券が正規の非接触券であると認証されてから２枚目の非接触券を捕捉可能とするための捕捉用待ち時間後に、枚数超過としてエラー処理する非接触券処理装置であって、前記制御手段は、前記データ授受手段により捕捉された前記第１の非接触券を正規の非接触券であると認証すると、当該非接触券の読み取りを開始すると前記第１の非接触券の記録内容に基づいた運賃判定処理を実行し、該運賃判定処理の実行中に前記２枚目の非接触券を捕捉するための要求を出すように制御することを特徴とする。
本発明の特徴は、従来の非接触券処理装置のハード構成を変更することなく、装置全体の判定処理時間を短縮するために、２枚目の非接触券が存在するか否かをチェックするタイプの非接触券処理装置において、捕捉用待ち時間内で運賃判定処理を終了するようにしたものである。この変更はソフトウェアレベルで可能である。これにより、装置全体の判定処理時間を運賃判定処理に要する時間の分だけ短縮することが可能となる。そして、１枚目の非接触券の読み込みを開始するとすぐに運賃判定処理を実行し、その実行中にマルチタスクにより２枚目の非接触券の有無を判定するための要求を出すものである。
請求項２は、前記制御手段は、前記データ授受手段により捕捉された前記第１の非接触券を正規の非接触券であると認証すると、当該非接触券の読み取りを開始し、該読み取りの終了後前記２枚目の非接触券を捕捉するための要求を出し、その後、前記第１の非接触券の記録内容に基づいた運賃判定処理を実行することを特徴とする。
本発明では、１枚目の非接触券の読み込みを開始すると、次に２枚目の非接触券を捕捉するための要求を出し、その動作が終了すると１枚目の非接触券の運賃判定処理を実行するものであり、全ての動作がシングルタスクでシーケンシャルに行われる。
請求項３は、前記制御手段は、前記捕捉用待ち時間を計時するタイマーを備え、前記２枚目の非接触券を捕捉するための要求を出すと前記タイマーをスタートさせ、該タイマーが前記捕捉用待ち時間を計時完了し、且つ前記２枚目の非接触券が捕捉されない場合、前記第１の非接触券に記録されている記録内容を更新することを特徴とする。
請求項１または２の処理を実行するために、制御手段は、２枚目の非接触券を捕捉するための要求を出すと、捕捉用待ち時間を計時するタイマーをスタートさせ、タイマーがタイムオーバしたときに２枚目の非接触券が捕捉されていなければ、１枚目の非接触券に記録されている記録内容を更新するものである。
【手続補正３】
【補正対象書類名】明細書
【補正対象項目名】０００６
【補正方法】変更
【補正の内容】
【０００６】
請求項４は、前記捕捉用待ち時間は前記運賃判定処理の処理時間と少なくとも一部が重複していることを特徴とする。
捕捉用待ち時間内に運賃判定処理を終了させるのが最も効果的である。そのためには、少なくとも捕捉用待ち時間と運賃判定処理時間が同じである必要がある。従って、捕捉用待ち時間は運賃判定処理時間と同じか、それ以上であることが必要十分条件であり、逆の場合は、捕捉用待ち時間と運賃判定処理時間の差の時間だけ短縮される。
請求項５は、前記制御手段は、前記データ授受手段により２枚目の非接触券が捕捉された場合、前記第１の非接触券に記録されている記録内容を更新しないことを特徴とする。
捕捉用待ち時間が到来すると、２枚目の非接触券が捕捉されたか否かを判定する。その結果、捕捉されると２枚の同時使用を認めない原則により、エラーとして処理され、第１の非接触券に記録されている記録内容を更新しないようにする。
請求項６は、前記非接触券処理装置は、非接触式自動改札機であることを特徴とする。
本発明の非接触券処理装置は、電鉄の改札に設置され、ＩＣカードによる乗客の入出場を処理する非接触式自動改札機に適応している。
請求項７は、無線通信機能を備えたＩＣカードからなる非接触券を処理する非接触券処理方法において、非接触券処理装置の本体に設けられているアンテナの交信範囲に前記非接触券が近接されたときに、当該非接触券処理装置の本体と非接触券との間でデータ授受を行うデータ授受ステップを備え、少なくとも２枚の前記非接触券が重ねて前記アンテナの交信範囲に近接された場合に、前記少なくとも２枚の非接触券の中から最初に捕捉された第１の非接触券が正規の非接触券であると認証されてから２枚目の非接触券を捕捉可能とするための捕捉用待ち時間経過後に、枚数超過としてエラー処理する非接触券処理方法であって、
前記データ授受ステップにより捕捉された前記第１の非接触券を正規の非接触券であると認証すると、当該非接触券の読み取りを開始すると前記第１の非接触券の記録内容に基づいた運賃判定処理を実行し、該運賃判定処理の実行中に前記２枚目の非接触券を捕捉するための要求を出すように制御することを特徴とする。
本発明は請求項１と同様の作用効果を奏する。
【手続補正４】
【補正対象書類名】明細書
【補正対象項目名】０００７
【補正方法】変更
【補正の内容】
【０００７】
請求項８は、前記データ授受ステップにより捕捉された前記第１の非接触券を正規の非接触券であると認証すると、当該非接触券の読み取りを開始し、該読み取りの終了後に前記２枚目の非接触券を捕捉するための要求を出し、その後、前記第１の非接触券の記録内容に基づいた運賃判定処理を実行することを特徴とする。
本発明は請求項２と同様の作用効果を奏する。
請求項９は、前記２枚目の非接触券を捕捉するための要求を出すと前記タイマーをスタートさせ、該タイマーが前記捕捉用待ち時間を計時完了し、且つ前記２枚目の非接触券が捕捉されない場合、前記第１の非接触券に記録されている記録内容を更新することを特徴とする。
本発明は請求項３と同様の作用効果を奏する。
請求項１０は、前記捕捉用待ち時間は前記運賃判定処理の処理時間と少なくとも一部が重複していることを特徴とする。
本発明は請求項４と同様の作用効果を奏する。
請求項１１は、前記データ授受ステップにより２枚目の非接触券が捕捉された場合、前記第１の非接触券に記録されている記録内容を更新しないことを特徴とする。
本発明は請求項５と同様の作用効果を奏する。
請求項１２は、請求項７乃至１１の何れか一項に記載の非接触券処理方法をコンピュータが制御可能にプログラミングしたことを特徴とする。
請求項１３は、請求項１２に記載の非接触券処理プログラムをコンピュータが読み取り可能な形式で記録したことを特徴とする。